(57)【特許請求の範囲】
【請求項１】
施設の入場用のゲートの開閉を制御するゲート制御方法であって、
前記施設のユーザのクレジットカードのカード番号を特定する番号特定ステップと、
前記カード番号を用いて前記クレジットカードの信用照会を行った結果が、前記クレジットカードの利用を承認することを示しており、かつ、特定した前記カード番号に関連付けられている前記クレジットカードの有効期限が切れていないとともに、前記カード番号を特定した時点よりも前の第１期間内に前記信用照会において前記利用が承認されていることを示している場合に前記ゲートを開く開扉ステップと、
を備えるゲート制御方法。
【請求項２】
前記ユーザの会員証から、当該会員証に付されている、前記ユーザを識別するユーザ識別情報を取得するステップをさらに備え、
前記番号特定ステップにおいて、前記ユーザ識別情報に関連付けられている前記カード番号を特定する、
請求項１に記載のゲート制御方法。
【請求項３】
前記開扉ステップにおいて、特定した前記カード番号に関連付けられている前記クレジットカードの有効期限が切れていると過去に判定された場合であっても、当該有効期限が更新されることにより当該有効期限が切れていないと判定されると、前記ゲートを開く、
請求項１又は２に記載のゲート制御方法。
【請求項４】
前記開扉ステップにおいて、前記カード番号を特定した時点よりも前の第２期間内に前記信用照会において前記クレジットカードの利用が承認されなかった場合、前記クレジットカードの有効期限が切れていないとともに、前記第１期間内に前記信用照会において前記利用が承認されていると判定しても、ゲートを開かない、
請求項１から３のいずれか１項に記載のゲート制御方法。
【請求項５】
前記開扉ステップにおいて、特定した前記カード番号に関連付けられている前記ゲートの開扉条件を満たしていない場合には、前記クレジットカードの有効期限が切れていないとともに、前記第１期間内に前記信用照会が行われていると判定しても、前記ゲートを開かない、
請求項１から４のいずれか１項に記載のゲート制御方法。
【請求項６】
前記開扉ステップにおいて、前記開扉条件を満たしていない場合には、開扉を許可しない理由を通知する、
請求項５に記載のゲート制御方法。
【請求項７】
前記開扉条件には、前記ユーザが設定可能なセルフコントロール条件が含まれており、
前記ユーザから前記セルフコントロール条件の設定を受け付ける設定受付ステップをさらに備える、
請求項５又は６に記載のゲート制御方法。
【請求項８】
前記ユーザから前記施設への入場予定時間を受け付け、前記開扉条件に基づいて当該入場予定時間に前記施設に入場可能か否かを示す情報を通知する第１通知ステップをさらに備える、
請求項５から７のいずれか１項に記載のゲート制御方法。
【請求項９】
前記開扉ステップにおいて開扉するか否かの判定が行われたことに応じて、前記ユーザが前記施設に来場したことを前記ユーザのパートナーの連絡先に通知する第２通知ステップをさらに備える、
請求項５から８のいずれか１項に記載のゲート制御方法。
【請求項１０】
前記開扉ステップにおいて、前記ユーザが前記施設において所定期間内に使用した金額と前記クレジットカードの利用限度額とが所定範囲内にある場合には、前記ゲートを開かない、
請求項５から９のいずれか１項に記載のゲート制御方法。
【請求項１１】
前記クレジットカードの前記信用照会が最後に行われてから前記第１期間よりも短い第３期間が経過すると、当該クレジットカードの前記信用照会が必要となる旨を前記ユーザに通知する第３通知ステップをさらに備える、
請求項１から１０のいずれか１項に記載のゲート制御方法。
【請求項１２】
施設の入場用のゲートの開閉を制御するゲート制御装置に通信可能に接続された認証装置であって、
前記施設のユーザのクレジットカードのカード番号を特定する特定部と、
前記カード番号を用いて前記クレジットカードの信用照会を行った結果が、前記クレジットカードの利用を承認することを示しており、かつ、特定した前記カード番号に関連付けられている前記クレジットカードの有効期限が切れていないとともに、前記カード番号を特定した時点よりも前の第１期間内に前記信用照会において前記利用が承認されていることを示している場合に前記ゲート制御装置に前記ゲートを開扉させることを示す許可情報を送信する認証処理部と、
を備える認証装置。
【請求項１３】
施設の入場用のゲートの開閉を制御するゲート制御装置と、当該ゲート制御装置に通信可能に接続された認証装置とを備えるゲート制御システムであって、
前記認証装置は、
前記施設のユーザのクレジットカードのカード番号を特定する特定部と、
前記カード番号を用いて前記クレジットカードの信用照会を行った結果が、前記クレジットカードの利用を承認することを示しており、かつ、特定した前記カード番号に関連付けられている前記クレジットカードの有効期限が切れていないとともに、前記カード番号を特定した時点よりも前の第１期間内に前記信用照会において前記利用が承認されていることを示している場合に前記ゲート制御装置に前記ゲートを開扉させることを示す許可情報を送信する認証処理部とを有し、
前記ゲート制御装置は、
前記認証装置から前記許可情報を受信すると、前記ゲートを開扉させる開閉制御部を有する、
ゲート制御システム。
【発明の詳細な説明】
【技術分野】
【０００１】
本発明は、ゲート制御方法、認証装置及びゲート制御システムに関する。
【背景技術】
【０００２】
従来、保護者同伴でない未成年者や不正遊技者等のカジノ等の遊技施設への入場を制限するためのシステムが知られている。例えば、特許文献１には、カジノフロア内への入場を希望する者を特定するための各種認証データが登録機構に登録されていることを示す登録証を発行し、当該登録証に登録された入場者の氏名、生年月日、住所、本人照合用データ等の各種認証データに基づいて、カジノフロア内への入場を管理する入場者管理システムが開示されている。
【先行技術文献】
【特許文献】
【０００３】
【特許文献１】特開２００５−７０４１号公報
【発明の概要】
【発明が解決しようとする課題】
【０００４】
ところで、近年、ギャンブル依存症が問題になっている。しかしながら、特許文献１に記載されている入場者管理システムでは、登録証に登録された入場者の氏名、生年月日、住所、本人照合用データ等の各種認証データに基づいて、遊技施設内への入場を管理するに過ぎず、ギャンブル依存症の問題を抱えているような、遊技施設への入場が相応しくない人物の入場制限をすることができないという問題があった。
【０００５】
そこで、本発明はこれらの点に鑑みてなされたものであり、施設に対する入場が相応しくない人物の入場を適切に制限することができるゲート制御方法、認証装置及びゲート制御システムを提供することを目的とする。
【課題を解決するための手段】
【０００６】
本発明の第１の態様のゲート制御方法は、施設の入場用のゲートの開閉を制御するゲート制御方法であって、前記施設のユーザのクレジットカードのカード番号を特定する番号特定ステップと、前記カード番号を用いて前記クレジットカードの信用照会を行い、前記信用照会の結果が、前記クレジットカードの利用を承認することを示している場合に前記ゲートを開く開扉ステップと、を備える。
【０００７】
前記ゲート制御方法は、前記ユーザの会員証から、当該会員証に付されている、前記ユーザを識別するユーザ識別情報を取得するステップをさらに備え、前記番号特定ステップにおいて、前記ユーザ識別情報に関連付けられている前記カード番号を特定してもよい。
【０００８】
前記開扉ステップにおいて、特定した前記カード番号に関連付けられている前記クレジットカードの有効期限が切れていないとともに、前記カード番号を特定した時点よりも前の第１期間内に前記信用照会において前記利用が承認されていると判定すると、前記ゲートを開いてもよい。
【０００９】
前記開扉ステップにおいて、特定した前記カード番号に関連付けられている前記クレジットカードの有効期限が切れていると過去に判定された場合であっても、当該有効期限が更新されることにより当該有効期限が切れていないと判定されると、前記ゲートを開いてもよい。
【００１０】
前記開扉ステップにおいて、前記カード番号を特定した時点よりも前の第２期間内に前記信用照会において前記クレジットカードの利用が承認されなかった場合、前記クレジットカードの有効期限が切れていないとともに、前記第１期間内に前記信用照会において前記利用が承認されていると判定しても、ゲートを開かなくてもよい。
【００１１】
前記開扉ステップにおいて、特定した前記カード番号に関連付けられている前記ゲートの開扉条件を満たしていない場合には、前記クレジットカードの有効期限が切れていないとともに、前記第１期間内に前記信用照会が行われていると判定しても、前記ゲートを開かなくてもよい。
【００１２】
前記開扉ステップにおいて、前記開扉条件を満たしていない場合には、開扉を許可しない理由を通知してもよい。
前記開扉条件には、前記ユーザが設定可能なセルフコントロール条件が含まれており、前記ゲート制御方法は、前記ユーザから前記セルフコントロール条件の設定を受け付ける設定受付ステップをさらに備えてもよい。
【００１３】
前記ゲート制御方法は、前記ユーザから前記施設への入場予定時間を受け付け、前記開扉条件に基づいて当該入場予定時間に前記施設に入場可能か否かを示す情報を通知する第１通知ステップをさらに備えてもよい。
【００１４】
前記ゲート制御方法は、前記開扉ステップにおいて開扉するか否かの判定が行われたことに応じて、前記ユーザが前記施設に来場したことを前記ユーザのパートナーの連絡先に通知する第２通知ステップをさらに備えてもよい。
【００１５】
前記開扉ステップにおいて、前記ユーザが前記施設において所定期間内に使用した金額と前記クレジットカードの利用限度額とが所定範囲内にある場合には、前記ゲートを開かなくてもよい。
【００１６】
前記ゲート制御方法は、前記クレジットカードの前記信用照会が最後に行われてから前記第１期間よりも短い第３期間が経過すると、当該クレジットカードの前記信用照会が必要となる旨を前記ユーザに通知する第３通知ステップをさらに備えてもよい。
【００１７】
本発明の第２の態様に係る認証装置は、施設の入場用のゲートの開閉を制御するゲート制御装置に通信可能に接続された認証装置であって、前記施設のユーザのクレジットカードのカード番号を特定する特定部と、前記カード番号を用いて前記クレジットカードの信用照会を行い、前記信用照会の結果が、前記クレジットカードの利用を承認することを示している場合に前記ゲート制御装置に前記ゲートを開扉させることを示す許可情報を送信する認証処理部とを備える。
【００１８】
本発明の第３の態様に係るゲート制御システムは、施設の入場用のゲートの開閉を制御するゲート制御装置と、当該ゲート制御装置に通信可能に接続された認証装置とを備えるゲート制御システムであって、前記認証装置は、前記施設のユーザのクレジットカードのカード番号を特定する特定部と、前記カード番号を用いて前記クレジットカードの信用照会を行い、前記信用照会の結果が、前記クレジットカードの利用を承認することを示している場合に前記ゲート制御装置に前記ゲートを開扉させることを示す許可情報を送信する認証処理部とを有し、前記ゲート制御装置は、前記認証装置から前記許可情報を受信すると、前記ゲートを開扉させる開閉制御部を有する。
【発明の効果】
【００１９】
本発明によれば、施設に対する入場が相応しくない人物の入場を適切に制限することができるという効果を奏する。
【図面の簡単な説明】
【００２０】
【図１】本実施形態に係るゲート制御システムの概要を示す図である。
【図２】本実施形態に係るゲート制御装置の構成を示す図である。
【図３】本実施形態に係る認証装置の構成を示す図である。
【図４】本実施形態に係る認証情報に記憶されている情報の一例を示す図である。
【図５】本実施形態に係るゲートの開扉制御に係るシーケンスの一例を示す図である。
【図６】本実施形態に係る認証処理に係る処理の流れを示すフローチャートである。
【図７】本実施形態に係る開扉制御処理に係る処理の流れを示すフローチャートである。
【発明を実施するための形態】
【００２１】
以下、本発明の実施形態について説明する。
［ゲート制御システムＳの概要］
図１は、本実施形態に係るゲート制御システムＳの概要を示す図である。ゲート制御システムＳは、ゲート制御装置１と、ゲート２と、認証装置３とを備えており、カジノ等の遊技施設の入場口等に設けられているゲート２の開扉を制御するシステムである。
【００２２】
ゲート制御装置１は、例えば、ゲート２に隣接して設置されている。なお、ゲート２は、遊技施設の入場口等に複数設けられていてもよい。この場合、ゲート制御装置１は、複数のゲート２のそれぞれに対応して設けられる。
【００２３】
ゲート制御装置１は、遊技施設のユーザが所有するクレジットカード５Ａに記憶されているカード番号、又は遊技施設のユーザに対して発行される会員証５Ｂに付されている、ユーザを識別するユーザ識別情報としての会員ＩＤを読み取る。ゲート制御装置１は、認証装置３に、読み取った情報に基づくユーザの認証を要求する。
【００２４】
認証装置３は、例えば、遊技施設に設けられている管理室等に設置されており、ゲート制御装置１と通信可能に接続されている。ゲート制御システムＳが複数のゲート制御装置１を有する場合、認証装置３は、複数のゲート制御装置１との間でデータを送受信する。認証装置３は、ゲート制御装置１から認証の要求を受け付けたことに応じて認証を行い、認証結果を示す情報をゲート制御装置１に送信する。
ゲート制御装置１は、認証結果を示す情報に基づいて、ゲート２の開扉制御を行う。
以下、ゲート制御装置１及び認証装置３が備える機能について詳細に説明する。
【００２５】
［ゲート制御装置１の構成］
図２は、本実施形態に係るゲート制御装置１の構成を示す図である。
ゲート制御装置１は、カードリーダ１１と、ディスプレイ１２と、スピーカ１３と、読取制御部１４と、認証要求部１５と、開閉制御部１６と、通知制御部１７とを備える。
【００２６】
カードリーダ１１は、クレジットカード５Ａに記憶されているクレジットカード番号や、会員証５Ｂに記憶されている会員ＩＤを読み取る。カードリーダ１１は、読み取った情報を読取制御部１４に出力する。
【００２７】
ディスプレイ１２は、例えば、液晶ディスプレイや有機ＥＬ（Electro-Luminescence）ディスプレイ等と、タッチパネルとにより構成される。ディスプレイ１２は、例えば、通知制御部１７の制御に応じて、認証処理中である旨を示す表示や、ユーザが入場できないことを示す警告表示を行う。また、ディスプレイ１２は、警告表示の解除ボタンを表示させ、タッチパネルが解除ボタンをタッチする操作を検出したことに応じて、警告表示を非表示とする。
【００２８】
スピーカ１３は、例えば、通知制御部１７の制御に応じて、ユーザの認証が完了したことを示す音や、ユーザが入場できないことを示す警告音を出力する。
なお、カードリーダ１１、ディスプレイ１２及びスピーカ１３は、ゲート制御装置１に設けられていなくてもよく、ゲート制御装置１に接続された外部機器であってもよい。
【００２９】
読取制御部１４、認証要求部１５、開閉制御部１６及び通知制御部１７は、例えば、ＣＰＵにより構成される。
読取制御部１４は、ゲート２が閉状態である場合に、カードリーダ１１から、ユーザが使用するクレジットカード５Ａのカード番号、又は会員証５Ｂに付されている会員ＩＤを取得する。
【００３０】
認証要求部１５は、読取制御部１４が取得したカード番号又は会員ＩＤを含む認証要求を認証装置３に送信する。そして、認証要求部１５は、認証装置３から認証結果を示す情報を受信する。認証要求部１５は、認証結果を示す情報を開閉制御部１６及び通知制御部１７に出力する。
【００３１】
開閉制御部１６は、認証要求部１５から認証結果を示す情報を取得すると、当該情報に基づいてゲート２を開扉するか否かを判定する。具体的には、開閉制御部１６は、認証結果を示す情報が、ゲート２を開扉することを許可する許可情報である場合、ゲート２を開扉させる。また、開閉制御部１６は、認証結果を示す情報が、ゲート２を開扉することを許可しない不許可情報である場合、ゲート２を開扉させない。
【００３２】
通知制御部１７は、認証要求部１５が、カード番号又は会員ＩＤを読取制御部１４から取得したことに応じて、認証が行われていることを示す情報をディスプレイ１２に表示させる。
【００３３】
また、通知制御部１７は、認証要求部１５から認証結果を示す情報を取得すると、当該情報に基づいてディスプレイ１２及びスピーカ１３を制御し、認証結果を通知する。具体的には、通知制御部１７は、認証結果を示す情報が、ゲート２を開扉することを許可する許可情報である場合、ゲート２の開扉が許可された旨を示すメッセージをディスプレイ１２に表示させるとともに、許可された旨を示す音をスピーカ１３から出力させる。また、通知制御部１７は、認証結果を示す情報が、ゲート２を開扉することを許可しない不許可情報である場合、ディスプレイ１２に警告メッセージを表示させるとともに、警告音をスピーカ１３から出力させる。
【００３４】
［認証装置３の構成］
図３は、本実施形態に係る認証装置３の構成を示す図である。
認証装置３は、認証情報ＤＢ３１と、認証処理部３２と、接続処理部３３と、設定受付部３４と、問合せ受付部３５とを備える。
【００３５】
認証情報ＤＢ３１は、ユーザの認証に係る認証情報を記憶させる。図４は、本実施形態に係る認証情報ＤＢ３１に格納される認証情報に含まれる各種項目を示す図である。
図４に示すように、認証情報には、会員ＩＤと、クレジットカードに関する情報を示すクレジットカード情報と、ユーザのパートナーの連絡先と、ユーザが施設において利用した金額を示す使用金額と、ユーザが施設に最後に入場した日時を示す入場日時と、ゲート２を開扉するための条件である開扉条件とが関連付けて記憶されている。
【００３６】
クレジットカード情報には、クレジットカード５Ａのカード番号、有効期限、利用限度額、利用承認日時及び利用否認日時が含まれている。カード番号、有効期限、利用限度額は、遊技施設においてユーザの新規登録が行われた際に記憶される。
【００３７】
利用承認日時は、後述の認証処理部３２がクレジットカード５Ａの信用照会を行った結果、当該クレジットカード５Ａの利用が最後に承認された日時である。利用承認日時は、クレジットカード５Ａの利用が承認されたことに応じて更新される。
【００３８】
利用否認日時は、後述の認証処理部３２がクレジットカード５Ａの信用照会を行った結果、当該クレジットカード５Ａの利用が最後に否認された日時である。利用否認日時は、クレジットカード５Ａの利用が否認されたことに応じて更新される。
【００３９】
開扉条件には、例えば、ＮＧユーザフラグ、パートナーコントロールフラグ、セルフコントロール条件が設けられている。
ＮＧユーザフラグは、ユーザが遊技施設の利用を禁止されているＮＧユーザであるか否かを示すフラグである。例えば、ＮＧユーザフラグは、「０」と「１」との２値をとる。ＮＧユーザフラグの値が「０」である場合には、ユーザがＮＧユーザではないことを示し、ＮＧユーザフラグの値が「１」である場合には、ユーザがＮＧユーザであり、遊技施設への入場が禁止されていることを示す。
【００４０】
パートナーコントロールフラグは、ユーザが、ユーザの関係者（例えば、ユーザの家族）によって遊技施設への入場を制限されているか否かを示すフラグである。例えば、パートナーコントロールフラグは、「０」と「１」との２値をとる。パートナーコントロールフラグの値が「０」である場合には、ユーザが関係者によって入場を許可されていることを示し、パートナーコントロールフラグの値が「１」である場合には、ユーザが関係者によって遊技施設への入場が禁止されていることを示す。
【００４１】
セルフコントロール条件は、ユーザ自身が設定可能な入場条件である。例えば、セルフコントロール条件には、ユーザが入場する頻度（例えば、３日に１回等）、ユーザが遊技施設において所定期間内に利用可能な金額（例えば、１カ月に５万円等）が設定される。
【００４２】
認証処理部３２は、ゲート制御装置１から認証要求を受け付けたことに応じて、認証処理を行い、認証結果を示す情報をゲート制御装置１に送信する。具体的には、まず、認証処理部３２は、特定部として機能し、認証要求に含まれている情報に基づいて、クレジットカード５Ａのカード番号を特定する。認証処理部３２は、認証要求に含まれている情報が、クレジットカード５Ａのカード番号か、会員証５Ｂの会員ＩＤであるかを判定する。認証処理部３２は、認証要求に含まれている情報が会員証５Ｂの会員ＩＤであると判定した場合には、認証情報ＤＢ３１を参照し、当該会員ＩＤに関連付けられているクレジットカード５Ａのカード番号を特定する。
【００４３】
認証処理部３２は、複数の判定方法によってゲート２を開扉させるか否かを判定することができる。以下、ゲート２を開扉させるか否かの複数の判定方法について説明する。
【００４４】
［信用照会の結果に基づいて判定する］
認証処理部３２は、クレジットカード５Ａの信用照会の結果に基づいてゲート２を開扉するか否かを判定する。信用照会は、クレジットカード５Ａのユーザの信用情報を管理する管理システム（不図示）に接続し、クレジットカード５Ａが利用可能か否かを問い合わせる処理である。具体的には、認証処理部３２は、カード決済網４を介して管理システムに接続する接続処理部３３を制御して当該管理システムに接続し、カード番号に対応するクレジットカード５Ａが利用可能であるか否かを照会する信用照会を行い、信用照会の結果を取得する。
【００４５】
認証処理部３２は、当該信用照会の結果が、クレジットカード５Ａの利用を承認することを示している場合に、ゲート制御装置１にゲート２を開かせるために、認証結果を示す情報として、許可情報をゲート制御装置１に送信するとともに、認証情報ＤＢ３１に記憶されている利用承認日時を更新する。また、認証処理部３２は、当該信用照会の結果が、クレジットカード５Ａの利用を否認することを示している場合に、ゲート２を開扉させないことを示す不許可情報をゲート制御装置１に送信するとともに、認証情報ＤＢ３１に記憶されている利用否認日時を更新する。
【００４６】
［過去の信用照会の結果に基づいて判定する］
認証処理部３２は、クレジットカード５Ａの過去の信用照会の結果に基づいてゲート２を開扉するか否かを判定してもよい。具体的には、認証処理部３２は、認証情報ＤＢ３１の利用承認日時を参照し、当該カード番号を特定した時点よりも前の第１期間内（例えば、３０日以内）に信用照会において利用が承認されているか否かを判定する。認証処理部３２は、第１期間内に信用照会において利用が承認されていると判定すると、許可情報をゲート制御装置１に送信する。このようにすることで、ユーザがクレジットカード５Ａを持参しておらず、会員証５Ｂのみを持参している場合であっても、認証処理部３２は、会員証５Ｂに対応する会員ＩＤに基づいて、ユーザの信用照会をすることができる。
【００４７】
ここで、認証処理部３２は、認証情報ＤＢ３１の利用否認日時を参照し、カード番号を取得した時点よりも前の第２期間内（例えば、６０日以内）に、信用照会において利用が承認されなかった場合、クレジットカード５Ａの有効期限が切れていないとともに、第１期間内に信用照会において利用が承認されていると判定しても、ゲート制御装置１にゲート２を開かせないようにしてもよい。第２期間内に信用照会において利用が承認されない場合、ユーザが金銭不足に陥っていることが予測され、遊技施設の利用に相応しくない。これに対し、認証装置３は、このようなユーザの入場を防止することができる。認証処理部３２は、第２期間を第１期間よりも長くすることにより、信用照会において利用が承認されたことよりも、利用が承認されなかったことを重視して、ユーザの入場を規制することができる。
【００４８】
また、第２期間は、第１期間よりも短くてもよい。例えば、認証処理部３２は、第１期間内（例えば、３０日以内）に信用照会において利用が承認されていると判定しても、第２期間内（例えば、２０日以内）に、信用照会において利用が承認されなかった場合、ゲート制御装置１にゲート２を開かせないようにしてもよい。このようにすることで、認証処理部３２は、第１期間内に利用が承認されていたとしても、ユーザが入場しようとする日に近い第２期間内に利用が承認されなかったことを重視して、ユーザの入場を規制することができる。
【００４９】
また、認証処理部３２は、最後に行われた信用照会の結果に基づいて、ゲート２を開扉するか否かを判定してもよい。具体的には、認証処理部３２は、認証情報ＤＢ３１の利用否認日時が、利用承認日時に比べて新しい場合には、ゲート制御装置１にゲート２を開かせないようにしてもよい。このようにすることで、認証処理部３２は、ユーザの最新の状況に基づいて入場するか否かを判定することができる。
【００５０】
ここで、ユーザが、クレジットカード５Ａの信用照会を行って遊技施設に入場した後、クレジットカード５Ａを用いずに会員証５Ｂを用いて遊技施設への入場を行うと、ユーザの信用情報が十分に確認できないという問題がある。このため、認証処理部３２は、クレジットカード５Ａの信用照会が最後に行われてから第１期間よりも短い第３期間（例えば、２０日）が経過すると、当該クレジットカードの信用照会が必要となる旨を示す通知情報をゲート制御装置１に送信することによって、その旨をユーザに通知してもよい。このようにすることで、クレジットカード５Ａを用いて遊技施設に入場する必要があることをユーザに認識させることができ、クレジットカード５Ａを持参しなかったことにより遊技施設に入場できないということを防止することができる。
【００５１】
［クレジットカード５Ａの有効期限に基づいて判定する］
認証処理部３２は、ゲート２を開扉するか否かを判定するにあたって、クレジットカード５Ａの有効期限をさらに用いてもよい。例えば、認証処理部３２は、クレジットカード５Ａの信用照会を行う前、又はクレジットカード５Ａの過去の信用照会の結果を参照する前に、特定したカード番号に関連付けられているクレジットカード５Ａの有効期限が切れているか否かを判定する。認証処理部３２は、クレジットカード５Ａの有効期限が切れていると判定すると、過去の信用照会において利用が承認されている場合であっても、認証結果を示す情報として、ゲート２を開扉させないことを示す不許可情報をゲート制御装置１に送信する。
【００５２】
ここで、認証処理部３２は、有効期限が切れているか否かの判定結果と、判定が行われた時刻とを関連付けて認証情報ＤＢ３１に記憶させておき、この記憶された情報に基づいて、有効期限が切れていると過去に判定された場合に、ゲート制御装置１にゲート２を開かせないようにしてもよい。
【００５３】
また、認証処理部３２は、特定したカード番号に関連付けられているクレジットカード５Ａの有効期限が切れていると過去に判定された場合であっても、認証情報ＤＢ３１に記憶されている当該有効期限が更新されることにより当該有効期限が切れていないと判定されると、ゲート制御装置１にゲート２を開かせるようにしてもよい。有効期限が切れていることは、ユーザの信用情報との関連性が低い。これに対し、認証装置３は、過去に有効期限が切れていることによりユーザが入場できなかったことを理由として、再度の入場を許可しないことを防止することができる。
【００５４】
［開扉条件に基づいて判定する］
また、認証処理部３２は、クレジットカード５Ａの信用照会の結果以外の他の条件にさらに基づいて、ゲート２を開扉させるか否かを判定してもよい。例えば、認証処理部３２は、開扉条件としての、ＮＧユーザフラグ、パートナーコントロールフラグ、及びセルフコントロール条件の少なくともいずれかに基づいて、ゲート２を開扉させるか否かを判定する。
【００５５】
具体的には、認証処理部３２は、開扉条件に含まれているＮＧユーザフラグが「１」、又はパートナーコントロールフラグが「１」又はセルフコントロール条件を満たしていない場合には、開扉条件を満たしていないと判定し、ゲート制御装置１にゲート２を開かせないようにしてもよい。このようにすることで、認証装置３は、パートナーコントロール及びセルフコントロールに対応して、ユーザが遊技施設に入場することを規制することができる。
【００５６】
ここで、認証処理部３２は、ゲート２の開扉条件を満たしていない場合には、ゲート２の開扉を許可しない理由を通知してもよい。例えば、認証処理部３２は、ゲート２の開扉条件を満たしていない場合に、ゲート２を開扉させないことを示す不許可情報をゲート制御装置１に送信するとともに、許可しない理由を示す通知情報をゲート制御装置１に送信する。ゲート制御装置１の通知制御部１７は、認証要求部１５が、当該通知情報を受信したことに応じて、当該通知情報が示す理由をディスプレイ１２に表示させる。このようにすることで、ユーザは、入場できない理由を把握し、適切な行動をとることができる。
【００５７】
また、認証処理部３２は、上述したゲート２を開扉するか否かの判定が行われたことに応じて、認証情報ＤＢ３１を参照して、ユーザが遊技施設に来場したことを、パートナー連絡先に通知してもよい。このようにすることで、例えば、ユーザがパートナーに無断で遊技施設に来場した場合であっても、パートナーはその旨を把握し、適切な行動をとることができる。
【００５８】
［利用限度額に基づいて判定する］
認証処理部３２は、ユーザが遊技施設において所定期間内に使用した金額と、クレジットカード５Ａの利用限度額とが所定範囲内（例えば、５万円以内等）にある場合には、ゲート２を開かないようにしてもよい。具体的には、認証処理部３２は、認証情報ＤＢ３１を参照し、特定したカード番号に対応するユーザの使用金額と、利用限度額とを特定する。そして、認証処理部３２は、特定した使用金額と利用限度額とが所定範囲内にある場合には、ゲート２を開扉させないことを示す不許可情報をゲート制御装置１に送信してもよい。このようにすることで、認証装置３は、ユーザが、遊技施設内において金銭を使いすぎることを抑制することができる。なお、ユーザが遊技施設において所定期間内に使用した金額は、遊技施設内においてユーザが遊技に投入した金額の合計から、当該遊技においてユーザに還元された金額の合計を減算した金額であることとするが、単に遊技施設内において遊技に投入した金額の合計としてもよい。
【００５９】
［複数の判定方法を組み合わせる］
上述の説明では、ゲート２を開扉させるか否かの複数の判定方法について説明したが、認証処理部３２は、上述した判定方法を組み合わせてゲート２を開扉させるか否かを判定してもよい。
【００６０】
例えば、認証処理部３２は、特定したカード番号に関連付けられているクレジットカード５Ａの有効期限が切れていないとともに、当該カード番号を特定した時点よりも前の第１期間内に信用照会において利用が承認されていると判定すると、ゲート制御装置１にゲート２を開かせてもよい。
【００６１】
また、認証処理部３２は、認証情報ＤＢ３１を参照し、特定したカード番号に関連付けられている開扉条件を満たしていない場合には、クレジットカード５Ａの有効期限が切れていないとともに、第１期間内に信用照会において利用が承認されていると判定しても、ゲート制御装置１にゲート２を開かせないようにしてもよい。
【００６２】
設定受付部３４は、遊技施設の窓口等において、オペレータが操作するオペレーション端末６から認証情報の設定を受け付ける。具体的には、設定受付部３４は、オペレーション端末６から、新規のユーザに対応する、クレジットカード５Ａのカード番号、有効期限、利用限度額を受け付けると、会員ＩＤを生成する。そして、設定受付部３４は、会員ＩＤ、クレジットカード５Ａのカード番号、有効期限、利用限度額を認証情報ＤＢ３１に記憶させる。また、設定受付部３４は、認証処理部３２及び接続処理部３３を制御し、当該クレジットカード５Ａの信用照会を行い、当該信用照会の結果に基づいて、当該会員ＩＤに関連付けられている利用承認日時又は利用否認日時を更新する。
【００６３】
また、設定受付部３４は、ユーザが遊技施設内等で問題を起こした場合に、オペレーション端末６から当該ユーザの会員ＩＤと、当該ユーザの遊技施設への入場を規制する旨を受け付け、認証情報ＤＢ３１に記憶されている認証情報に含まれるＮＧユーザフラグを更新してもよい。
【００６４】
また、設定受付部３４は、ユーザが操作するユーザ端末７から、会員ＩＤを受け付けるとともに、パートナー連絡先及びセルフコントロール条件の少なくともいずれかを受け付け、認証情報ＤＢ３１に記憶されている認証情報に含まれるパートナー連絡先及びセルフコントロール条件を更新してもよい。
【００６５】
また、設定受付部３４は、ユーザの関係者が操作する関係者端末（不図示）から、ユーザの会員ＩＤと、パートナーコントロールを行う旨を受け付け、認証情報ＤＢ３１に記憶されている認証情報に含まれるパートナーコントロールフラグを更新してもよい。
【００６６】
問合せ受付部３５は、ユーザ端末７から、ユーザの会員ＩＤと、遊技施設への入場予定時間を受け付ける。問合せ受付部３５は、入場予定時間を受け付けたことに応じて、認証情報ＤＢ３１に記憶されているクレジットカード情報、入場日時及び開扉条件の少なくともいずれかに基づいて、当該ユーザが当該入場予定時間に遊技施設に入場可能か否かを判定する。例えば、開扉条件に含まれるセルフコントロール条件において、ユーザが遊技施設に入場する頻度が１週間に１回と設定されていたとする。問合せ受付部３５は、認証情報に記憶されている入場日時が、入場予定時間から１週間以内である場合、当該入場予定時間にユーザが遊技施設に入場することができないと判定する。問合せ受付部３５は、判定結果を示す情報をユーザ端末７に送信することによりユーザ端末７のユーザに判定結果を通知する。
【００６７】
［ゲートの開扉制御に係るシーケンス］
続いて、ゲート制御システムＳにおける、ゲート２の開扉制御に係る処理の流れについて説明する。図５は、ゲート２の開扉制御に係るシーケンスの一例を示す図である。
【００６８】
まず、読取制御部１４は、カードリーダ１１にクレジットカード５Ａ又は会員証５Ｂが挿入されたか否かを判定する（Ｓ１０）。読取制御部１４は、挿入されたと判定すると、挿入されたクレジットカード５Ａ又は会員証５Ｂに記憶されている情報を読み取る（Ｓ２０）。
【００６９】
続いて、通知制御部１７は、読取制御部１４が情報を読み取ったことに応じて、処理中を示す画面をディスプレイ１２に表示させる（Ｓ３０）。
続いて、認証要求部１５は、読取制御部１４が取得したカード番号又は会員ＩＤを含む認証要求を認証装置３に送信する。なお、認証要求の送信と、処理中を示す画面のディスプレイ１２への表示との順番は、この順番に限定されるものではない。
【００７０】
続いて、認証装置３の認証処理部３２は、認証要求に含まれている情報が、クレジットカード５Ａのカード番号を取得したか否かを判定する（Ｓ４０）。認証処理部３２は、カード番号を取得したと判定すると、Ｓ６０に処理を移す。また、認証処理部３２は、カード番号を取得していないと判定した場合、認証要求に含まれている情報が会員ＩＤであることから、Ｓ５０に処理を移し、認証情報ＤＢ３１を参照して当該会員ＩＤに関連付けられているカード番号を特定する。
【００７１】
続いて、認証処理部３２は、認証処理を実行する（Ｓ６０）。認証処理における処理の流れの詳細については後述する。認証処理部３２は、認証処理を実行した後、認証結果を示す情報をゲート制御装置１に送信する。ゲート制御装置１の開閉制御部１６は、認証結果を示す情報を取得すると、ゲート２の開扉制御処理を実行する（Ｓ７０）。開扉制御処理における処理の流れの詳細については後述する。
【００７２】
［認証処理のフローチャート］
続いて、認証処理に係る処理の流れについて説明する。図６は、認証処理に係る処理の流れを示すフローチャートである。
【００７３】
まず、認証処理部３２は、認証情報ＤＢ３１を参照し、特定したカード番号に関連付けられている有効期限に基づいて、当該カード番号に対応するクレジットカード５Ａが有効か否かを判定する（Ｓ６１）。認証処理部３２は、クレジットカード５Ａが有効であると判定すると、Ｓ６２に処理を移し、クレジットカード５Ａが有効ではないと判定すると、Ｓ６８に処理を移す。
【００７４】
Ｓ６２において、認証処理部３２は、認証情報ＤＢ３１を参照し、当該カード番号を特定した時点よりも前の３０日以内（第１期間内）に信用照会において利用が承認されているか、又は、特定したカード番号に基づく決済が行われているかを判定する。認証処理部３２は、３０日以内に信用照会において利用が承認されている、又は特定したカード番号に基づく決済が行われていると判定すると、Ｓ６５に処理を移す。また、認証処理部３２は、３０日以内に信用照会において利用が承認されておらず、さらに、特定したカード番号に基づく決済も行われていない場合には、Ｓ６３に処理を移す。
【００７５】
Ｓ６３において、認証処理部３２は、特定したカード番号を用いて信用照会を行う。続いて、認証処理部３２は、信用照会の結果がＯＫか否か、すなわち、クレジットカード５Ａの利用が承認されたか否かを判定する（Ｓ６４）。認証処理部３２は、信用照会の結果がＯＫである場合、Ｓ６５に処理を移し、信用照会の結果がＮＧである場合、Ｓ６８に処理を移す。
【００７６】
続いて、認証処理部３２は、認証情報ＤＢ３１の利用否認日時を参照し、カード番号を取得した時点よりも前の６０日以内（第２期間内）に、信用照会の結果がＮＧになったことがあるか否かを判定する（Ｓ６５）。認証処理部３２は、６０日以内に、信用照会の結果がＮＧになったことがあると判定すると、Ｓ６８に処理を移し、ＮＧになったことがないと判定すると、Ｓ６７に処理を移す。
【００７７】
続いて、認証処理部３２は、ゲート制御装置１にゲート２を開かせるために、認証結果を示す情報として、ゲート２を開扉することを許可する許可情報をゲート制御装置１に送信する（Ｓ６７）。
他方、Ｓ６８において、認証処理部３２は、認証結果を示す情報として、ゲート２を開扉させないことを示す不許可情報をゲート制御装置１に送信する。
【００７８】
［開扉制御処理のフローチャート］
続いて、開扉制御処理に係る処理の流れについて説明する。図７は、開扉制御処理に係る処理の流れを示すフローチャートである。
【００７９】
まず、開閉制御部１６は、認証要求部１５から認証結果を示す情報を取得すると、当該情報に基づいてゲート２を開扉するか否かを判定する（Ｓ７１）。開閉制御部１６は、認証結果を示す情報がゲート２を開扉することを許可する許可情報である場合、Ｓ７２に処理を移し、認証結果を示す情報がゲート２を開扉することを許可しない不許可情報である場合、Ｓ７４に処理を移す。
【００８０】
Ｓ７２において、通知制御部１７は、ディスプレイ１２の表示を非表示にする。続いて、開閉制御部１６は、ゲート２を開扉させる（Ｓ７３）。
他方、通知制御部１７は、ディスプレイ１２に表示されている、処理中を示す画面から警告表示画面に表示を切り替えるとともに、ディスプレイ１２に解除ボタンを表示させる（Ｓ７４）。続いて、通知制御部１７は、Ｓ７５において、解除ボタンが押下されたか否かを判定する。通知制御部１７は、解除ボタンが押下されたと判定すると、Ｓ７７に処理を移し、ディスプレイ１２に表示されている画面を非表示にする。また、通知制御部１７は、解除ボタンが押下されていないと判定するとＳ７６に処理を移す。続いて、通知制御部１７は、Ｓ７４において警告表示画面が表示されてから所定時間が経過し、タイムアウトとなったか否かを判定する（Ｓ７６）。通知制御部１７は、タイムアウトになったと判定すると、Ｓ７７に処理を移し、タイムアウトになっていないと判定すると、Ｓ７５に処理を移す。
【００８１】
［本実施形態における効果］
以上のとおり、本実施形態に係るゲート制御システムＳでは、認証装置３が、遊技施設のユーザのクレジットカード５Ａのカード番号を特定し、当該カード番号を用いてクレジットカード５Ａの信用照会を行い、信用照会の結果が、クレジットカード５Ａの利用を承認することを示している場合にゲート制御装置１を介してゲート２を開かせる。
【００８２】
クレジットカードの信用照会では、当該クレジットカードの支払いについて延滞を起こしているユーザについては、利用の承認が行われない。また、カードの支払いの延滞を起こしているユーザは、金銭的に余裕がない可能性が高い。そして、クレジットカードの利用の承認が行われないにもかかわらず、遊技施設に入場しようとするユーザは、金銭的に余裕がないにもかかわらず入場しようとしていることから、ギャンブル依存症である可能性が高い。これに対して、本実施形態に係るゲート制御システムＳは、クレジットカードの承認の仕組みを利用することにより、信用できるユーザに限定してゲートを開扉させるので、ギャンブル依存症である可能性が高いユーザ等の、施設に対する入場が相応しくないユーザの入場を適切に制限することができる。
【００８３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００８４】
例えば、上記の実施形態においては、ゲート制御装置１からの要求に応じて、認証装置３内の認証処理部３２がユーザの信用照会を行い、ゲート２を開扉するか否かを判定する例について説明したが、このような構成に限らない。ゲート制御装置１が認証装置３の機能を有し、ゲート制御装置１がユーザの信用照会を行い、ゲート２を開扉するか否かを判定してもよい。
【符号の説明】
【００８５】
１・・・ゲート制御装置、１１・・・カードリーダ、１２・・・ディスプレイ、１３・・・スピーカ、１４・・・読取制御部、１５・・・認証要求部、１６・・・開閉制御部、１７・・・通知制御部、２・・・ゲート、３・・・認証装置、３１・・・認証情報ＤＢ、３２・・・認証処理部、３３・・・接続処理部、３４・・・設定受付部、３５・・・問合せ受付部、４・・・カード決済網、５Ａ・・・クレジットカード、５Ｂ・・・会員証、６・・・オペレーション端末、７・・・ユーザ端末、Ｓ・・・ゲート制御システム
【要約】
【課題】施設に対する入場が相応しくない人物の入場を適切に制限する。
【解決手段】ゲート制御システムは、認証装置３と、ゲート制御装置１とを備える。認証装置３は、遊技施設のユーザのクレジットカード５Ａのカード番号を特定し、当該カード番号を用いてクレジットカード５Ａの信用照会を行い、信用照会の結果が、クレジットカードの利用を承認することを示している場合にゲート制御装置１にゲートを開扉させることを示す許可情報を送信する。ゲート制御装置１は、認証装置３から許可情報を受信すると、ゲート２を開扉させる。
【選択図】図１【図１】
0005695791.tif 000002
【図２】
0005695791.tif 000003
【図３】
0005695791.tif 000004
【図４】
0005695791.tif 000005
【図５】
0005695791.tif 000006
【図６】
0005695791.tif 000007
【図７】
0005695791.tif 000008